(57)【要約】【課題】電子機器の機能に係る機能部材、即ち、その電子機器に付加される機能の一部又は全部を構成する部材をヒンジ部に収納できるようにすること。【解決手段】電子機器の第一部材に設ける第一連結部に軸受け２を設け、電子機器の第二部材に設ける第二連結部に上記軸受け２に回動自在に係合する回動軸部を設け、この回動軸部に電子機器の機能に係る機能部材を配置するための中空部、及びカム板３を設けると共に、相対回動することで上記カム板３に凹凸係合するカム係合部を上記軸受け２に設け、少なくとも上記カム板３と上記カム係合部との一方は他方に対して軸方向にバネ４に抗して離反移動自在に設けて、上記回動軸部が上記軸受け２に対して相対回動することで上記カム板３が上記カム係合部に対して相対回動して凹凸係合するように構成する。【選択図】    図１
2004214396.tif 000002
【特許請求の範囲】
【請求項１】
第一部材と第二部材とを回動自在に連結する電子機器のためのヒンジ装置であって、
前記第一部材及び第二部材の一方に軸受け部を設け、他方にこの軸受け部に回動自在に係合する回動軸部を設け、
この回動軸部に、当該ヒンジ装置が適用される電子機器の機能に係る機能部材を配設するための中空部を設けた、
ことを特徴とするヒンジ装置。
【請求項２】
前記回動軸部の中空部に配設される機能部材が、カメラ機能を果たすためのレンズと、入光部から入光する光を前記レンズを介して検知する光センサと、を少なくとも含むカメラであることを特徴とする請求項１に記載のヒンジ装置。
【請求項３】
前記回動軸部の中空部に配設される機能部材が、カメラ機能を果たすためのレンズであるとき、この回動軸部の一端部には入光部が設けられ、他端部には当該入光部から入光する光を前記レンズを介して検知する光センサを配設するための光センサ配設部が設けられていることを特徴とする請求項１に記載のヒンジ装置。
【請求項４】
前記カメラは、前記レンズと、前記光センサと、前記レンズ及び前記光センサを保持する鏡枠部とから少なくとも構成され、
前記回動軸部が前記鏡枠部を兼ねるように構成された、
ことを特徴とする請求項２又は３に記載のヒンジ装置。
【請求項５】
前記鏡枠部は、前記レンズを保持するレンズ枠部と前記光センサを保持するセンサ枠部とからなり、
前記レンズ枠部と前記センサ枠部とは、前記レンズと前記光センサとの間隔を調整可能に接合されるように構成されている、
ことを特徴とする請求項４に記載のヒンジ装置。
【請求項６】
前記中空部は、前記機能部材を固定的に配設するように構成されたことを特徴とする請求項１に記載のヒンジ装置。
【請求項７】
前記中空部は、前記固定的に配置された機能部材に付加機能を与える付加機能部材を着脱自在に更に配設するように構成されたことを特徴とする請求項６に記載のヒンジ装置。
【請求項８】
前記中空部は、前記機能部材を着脱自在に配設するように構成されたことを特徴とする請求項１に記載のヒンジ装置。
【請求項９】
前記中空部は、複数の中空部からなることを特徴とする請求項１に記載のヒンジ装置。
【請求項１０】
前記第一部材に設ける第一連結部に前記軸受け部を設け、
前記第二部材に設ける第二連結部に前記軸受け部に回動自在に係合する前記回動軸部を設け、
この回動軸部にカム部を設けると共に、相対回動することで前記カム部に凹凸係合するカム係合部を前記軸受け部に設け、
少なくとも前記カム部と前記カム係合部との一方は他方に対して軸方向に弾性体に抗して離反移動自在に設けて、前記回動軸部が前記軸受け部に対して相対回動することで前記カム部が前記カム係合部に対して相対回動して凹凸係合し、この凹凸係合が離反する際には前記弾性体に抗して前記カム部が前記カム係合部に対して相対的に離反するように構成し、前記カム部と前記カム係合部とが凹凸係合する回動位置ではこのカム係合力と前記弾性体による押圧付勢により係合保持されるように構成した、
ことを特徴とする請求項１乃至９の何れかに記載のヒンジ装置。
【請求項１１】
前記第一部材に設ける第一連結部に前記軸受け部を設け、
前記第二部材に設ける第二連結部に前記軸受け部に回動自在に係合する前記回動軸部を設け、
この回動軸部に、該回動軸部を共に回動するように回り止め状態に被嵌し、且つ該回動軸に沿って弾性体に抗して移動自在にカム部を設け、
相対回動することで前記カム部に凹凸係合するカム係合部を前記軸受け部に設け、
前記回動軸部が前記軸受け部に対して相対回動することで前記カム部が前記カム係合部に対して相対回動して凹凸係合し、この凹凸係合が離脱する際には前記弾性体に抗して前記カム部が前記カム係合部に対して相対的に離反するように構成し、前記カム部と前記カム係合部とが凹凸係合する回動位置ではこのカム係合力と前記弾性体による押圧付勢により係合保持されるように構成した、
ことを特徴とする請求項１乃至９の何れかに記載のヒンジ装置。
【請求項１２】
第一部材と第二部材とを回動自在に連結する電子機器のためのヒンジユニットであって、
前記第一部材及び第二部材の一方に軸受け部を設け、他方にこの軸受け部に回動自在に係合する回動軸部を設け、
この回動軸部に中空部を設けて、
この中空部に、当該ヒンジユニットが適用される電子機器の機能に係る機能部材を配設した、
ことを特徴とするヒンジユニット。
【請求項１３】
前記回動軸部の中空部に配設された機能部材が、カメラ機能を果たすためのレンズと、入光部から入光する光を前記レンズを介して検知する光センサと、を少なくとも含むカメラであることを特徴とする請求項１２に記載のヒンジユニット。
【請求項１４】
前記回動軸部の中空部に配設された機能部材が、カメラ機能を果たすためのレンズであるとき、この回動軸部の一端部には入光部を設け、他端部には当該入光部から入光する光を前記レンズを介して検知する光センサを配設するための光センサ配設部を設けたことを特徴とする請求項１２に記載のヒンジユニット。
【請求項１５】
前記カメラは、前記レンズと、前記光センサと、前記レンズ及び前記光センサを保持する鏡枠部とから少なくとも構成され、
前記回動軸部が前記鏡枠部を兼ねる、
ことを特徴とする請求項１３又は１４に記載のヒンジユニット。
【請求項１６】
前記鏡枠部は、前記レンズを保持するレンズ枠部と前記光センサを保持するセンサ枠部とからなり、
前記レンズ枠部と前記センサ枠部とは、前記レンズと前記光センサとの間隔を調整可能に接合されるように構成されている、
ことを特徴とする請求項１５に記載のヒンジユニット。
【請求項１７】
前記中空部は、前記機能部材を固定的に配設したことを特徴とする請求項１２に記載のヒンジユニット。
【請求項１８】
前記中空部は、前記固定的に配置した機能部材に付加機能を与える付加機能部材を着脱自在に更に配設したことを特徴とする請求項１７に記載のヒンジユニット。
【請求項１９】
前記中空部は、前記機能部材を着脱自在に配設したことを特徴とする請求項１２に記載のヒンジユニット。
【請求項２０】
前記中空部は、複数の中空部からなることを特徴とする請求項１２に記載のヒンジユニット。
【請求項２１】
前記第一部材に設ける第一連結部に前記軸受け部を設け、
前記第二部材に設ける第二連結部に前記軸受け部に回動自在に係合する前記回動軸部を設け、
この回動軸部にカム部を設けると共に、相対回動することで前記カム部に凹凸係合するカム係合部を前記軸受け部に設け、
少なくとも前記カム部と前記カム係合部との一方は他方に対して軸方向に弾性体に抗して離反移動自在に設けて、前記回動軸部が前記軸受け部に対して相対回動することで前記カム部が前記カム係合部に対して相対回動して凹凸係合し、この凹凸係合が離反する際には前記弾性体に抗して前記カム部が前記カム係合部に対して相対的に離反するように構成し、前記カム部と前記カム係合部とが凹凸係合する回動位置ではこのカム係合力と前記弾性体による押圧付勢により係合保持されるように構成した、
ことを特徴とする請求項１２乃至２０の何れかに記載のヒンジユニット。
【請求項２２】
前記第一部材に設ける第一連結部に前記軸受け部を設け、
前記第二部材に設ける第二連結部に前記軸受け部に回動自在に係合する前記回動軸部を設け、
この回動軸部に、該回動軸部を共に回動するように回り止め状態に被嵌し、且つ該回動軸に沿って弾性体に抗して移動自在にカム部を設け、
相対回動することで前記カム部に凹凸係合するカム係合部を前記軸受け部に設け、
前記回動軸部が前記軸受け部に対して相対回動することで前記カム部が前記カム係合部に対して相対回動して凹凸係合し、この凹凸係合が離脱する際には前記弾性体に抗して前記カム部が前記カム係合部に対して相対的に離反するように構成し、前記カム部と前記カム係合部とが凹凸係合する回動位置ではこのカム係合力と前記弾性体による押圧付勢により係合保持されるように構成した、
ことを特徴とする請求項１２乃至２０の何れかに記載のヒンジユニット。
【請求項２３】
操作部を設けた本体部と、ディスプレイ部を設けた重合部とを、前記操作部を操作しない時にはこの操作部を覆うように重合配置し、この重合した状態から前記重合部を相対的に回動して操作部を露出させることができるように前記本体部と前記重合部とを回動自在に連結するヒンジ装置を有する電子機器であって、
前記ヒンジ装置は、前記本体部及び前記重合部の一方に設けられた軸受け部と、他方に設けられたこの軸受け部に回動自在に係合する回動軸部とから少なくとも構成され、
この回動軸部に中空部を設けて、この中空部に当該電子機器の機能に係る機能部材を配設した、
ことを特徴とする電子機器。
【請求項２４】
前記回動軸部の中空部に配設された機能部材が、カメラ機能を果たすためのレンズと、入光部から入光する光を前記レンズを介して検知する光センサと、を少なくとも含むカメラであることを特徴とする請求項２３に記載の電子機器。
【請求項２５】
前記回動軸部の中空部に配設された機能部材が、カメラ機能を果たすためのレンズであるとき、この回動軸部の一端部には入光部を設け、他端部には当該入光部から入光する光を前記レンズを介して検知する光センサを配設するための光センサ配設部を設けたことを特徴とする請求項２３に記載の電子機器。
【請求項２６】
前記カメラは、前記レンズと、前記光センサと、前記レンズ及び前記光センサを保持する鏡枠部とから少なくとも構成され、
前記回動軸部が前記鏡枠部を兼ねる、
ことを特徴とする請求項２４又は２５に記載の電子機器。
【請求項２７】
前記鏡枠部は、前記レンズを保持するレンズ枠部と前記光センサを保持するセンサ枠部とからなり、
前記レンズ枠部と前記センサ枠部とは、前記レンズと前記光センサとの間隔を調整可能に接合されるように構成されている、
ことを特徴とする請求項２６に記載の電子機器。
【請求項２８】
前記中空部は、前記機能部材を固定的に配設したことを特徴とする請求項２３に記載の電子機器。
【請求項２９】
前記中空部は、前記固定的に配置した機能部材に付加機能を与える付加機能部材を着脱自在に更に配設したたことを特徴とする請求項２８に記載の電子機器。
【請求項３０】
前記中空部は、前記機能部材を着脱自在に配設したことを特徴とする請求項２３に記載の電子機器。
【請求項３１】
前記中空部は、複数の中空部からなることを特徴とする請求項２３に記載の電子機器。
【発明の詳細な説明】
【０００１】
【発明の属する技術分野】
本発明は、第一部材と第二部材とを回動自在に連結する電子機器のためのヒンジ装置及びヒンジユニット、並びに、そのようなヒンジ装置を有する電子機器に関する。
【０００２】
【従来の技術】
ノートパソコンのようにディスプレイ部と操作部（キーボード部）がヒンジ部により連結結合された情報処理装置において、そのヒンジ部に撮像光学系を内蔵し、一端にレンズ部を配置した構成が提案されている（例えば、特許文献１参照）。
【０００３】
また、本体部とモニタ画面を備えるフリップ部とを回動自在な軸部により連結した携帯端末において、軸部内の長手方向に撮影レンズを配置する構成も提案されている（例えば、特許文献２参照）。
【０００４】
【特許文献１】
特開平８−２２３４３号公報
【特許文献２】
特開２００１−１６９１６６号公報
【発明が解決しようとする課題】
上記特許文献１及び特許文献２には、ヒンジ部にカメラを装備するとの記載はあるが、ヒンジ機構そのものとカメラとは別々に構成され、開閉可能なそれぞれの筐体の回動軸部にヒンジ機構、カメラを別々に配置するいうものである。従って、これら特許文献に開示の構成では、回動軸幅方向でヒンジ機構、カメラ部それぞれのスペースを必要とするため、開閉可能な筐体を持った機器の寸法が大きくなるという問題点がある。
【０００５】
このような問題点は、そのようなカメラ部等の機能部材をヒンジ部に収納できるようにすれば解消されることは明らかである。
【０００６】
本発明は、上記の点に鑑みてなされたもので、電子機器の機能に係る機能部材、即ち、その電子機器に付加される機能の一部又は全部を構成する部材を収納できるヒンジ装置及びヒンジユニット、並びに、そのようなヒンジ装置を有する電子機器を提供することを目的とする。
【０００７】
【課題を解決するための手段】
上記の目的を達成するために、本発明によるヒンジ装置は、
第一部材と第二部材とを回動自在に連結する電子機器のためのヒンジ装置であって、
上記第一部材及び第二部材の一方に軸受け部を設け、他方にこの軸受け部に回動自在に係合する回動軸部を設け、
この回動軸部に、当該ヒンジ装置が適用される電子機器の機能に係る機能部材を配設するための中空部を設けた、
ことを特徴とする。
【０００８】
また、上記の目的を達成するために、本発明によるヒンジユニットは、
第一部材と第二部材とを回動自在に連結する電子機器のためのヒンジユニットであって、
上記第一部材及び第二部材の一方に軸受け部を設け、他方にこの軸受け部に回動自在に係合する回動軸部を設け、
この回動軸部に中空部を設けて、
この中空部に、当該ヒンジユニットが適用される電子機器の機能に係る機能部材を配設した、
ことを特徴とする。
【０００９】
また、上記の目的を達成するために、本発明による電子機器は、
操作部を設けた本体部と、ディスプレイ部を設けた重合部とを、上記操作部を操作しない時にはこの操作部を覆うように重合配置し、この重合した状態から上記重合部を相対的に回動して操作部を露出させることができるように上記本体部と上記重合部とを回動自在に連結するヒンジ装置を有する電子機器であって、
上記ヒンジ装置は、上記本体部及び上記重合部の一方に設けられた軸受け部と、他方に設けられたこの軸受け部に回動自在に係合する回動軸部とから少なくとも構成され、
この回動軸部に中空部を設けて、この中空部に当該電子機器の機能に係る機能部材を配設した、
ことを特徴とする。
【００１０】
【発明の実施の形態】
以下、本発明の実施の形態を図面を参照して説明する。
【００１１】
［ヒンジ装置の第１の実施の形態］
まず、本発明のヒンジ装置の第１の実施の形態を説明する。
【００１２】
図１の（Ａ）及び（Ｂ）は、本発明の第１の実施の形態に係るヒンジ装置の構成を示す図である。
【００１３】
即ち、本実施の形態に係るヒンジ装置においては、中空軸１に、軸受け２が該中空軸１に対して回動可能に嵌め合わされている。また、カム板３は、同じく中空軸１に嵌め合わされている。
【００１４】
上記カム板３は、図１の（Ｂ）に示すように略円形の板状部材にカム部３ａが構成されたものであり、そのカム部３ａは、例えば、軸方向で凸となる形状が考えられる。また、このカム板３の内径部には回転規制部３ｃが構成され、上記中空軸１もそれに対応した形状に形成されて、お互いが回動不可能で軸方向への移動が可能なように組み合わされる。
【００１５】
一方、上記軸受け２には、図示しないが上記カム板３に対応する面に、お互いが噛合うようにカム面が任意個所構成されている。この軸受け２に設けたカム面は、中空軸１と軸受け２の相対回動の中で噛合うように予め決められた位置に構成される。
【００１６】
そして、バネ４が、自由長に対して圧縮して上記中空軸１周囲に圧縮伸張可能に配置される。このバネ４は、一端を上記カム板３に、他端が該バネ４の抜け止めに上記中空軸１に嵌められたＥリング６により、その伸張を規制され、従って、このバネ４により上記カム板３は上記軸受け２に押圧される。なお、本実施の形態では、バネ４はコイルバネを示したが、皿バネでも良い。また、カム板そのものを皿バネで構成することも可能である。
【００１７】
従って、上記カム板３のカム部３ａと上記軸受け２に設けられた不図示のカム面との噛合いがなされている状態では、その回動は規制される。
【００１８】
ここで、中空軸１と軸受け２の相対回動すべく回動方向に力を加えると、カム板３のカム部３ａと軸受け２に設けられたカム面との間で噛合いを外そうとする力が働き、カム板３は図１の（Ａ）中左方向に、上記バネ４のバネ力に抗して動く。
【００１９】
さらに回動を続けた場合、カム板３と軸受け２は上記バネ４のバネ力を受けて発生する摩擦力に抗して回動させることになる。そして、軸受け２に設けられた別の位置でのカム面に上記カム部３ａが近づくと、回動を加えなくてもカムの作用により相互のカムを噛合わせようと引き込みが始まり、互いのカムが噛合った位置で安定する。このカムの噛合い、外れが使用者のクリック感を生じさせる。
【００２０】
カム板３は、中空軸１に対して軸方向に移動が可能であるため、中空軸１と軸受け２の相対回動においてクリック感発生時も中空軸１と軸受け２は軸方向の移動は生じない。
【００２１】
もちろんこの動きは可逆的に可能であり、このヒンジ装置が適用される電子機器に求められる仕様で、カムが噛合う安定位置、回動時の操作感が決まり、バネ力、カム形状、カム位置が設計される。
【００２２】
外筒５は、図示はしないが、上記カム板３のカム部３ａに噛合うようにスリットもしくは内壁に溝が形成されており、カム板３に対して回動不可能にしてバネ４の周囲にＥリング６で抜け止めされて配置される。上記スリットは当然ながらカム板３の軸方向の移動を妨げぬように軸方向に一定の幅で構成される。このような構成により、この外筒５は、カム板３を介して中空軸１に対して相対回動が不可能になる。
【００２３】
このように中空軸１の周囲にクリック機構を持つヒンジ装置を構成することで、このヒンジ装置を適用する電子機器の機能に係る機能部材を中空軸１内に収納配置することができ、機器の回動軸の径方向、及び軸方向のスペースを有効に活用することができる。
【００２４】
［ヒンジ装置の第２の実施の形態］
次に、本発明のヒンジ装置の第２の実施の形態を説明する。
【００２５】
本実施の形態は、カム板を用いずにヒンジ装置を構成したものである。
【００２６】
図２は、本実施の形態に係るヒンジ装置の構成を示す図である。
【００２７】
即ち、中空軸１０１に回動及び軸方向の移動が可能なように軸受け１０２が組み付けられる。さらに、中空軸１０１にカム部１０１ａを形成し、また、軸受け１０２にもカム部１０２ａを形成して、お互いが噛合う位置が任意個所設けられている。バネ１０４は、Ｅリング１０６にて軸受け１０２を押圧した状態で組み付けられる。Ｅリング１０６、外筒１０５は各々中空軸１０１に対して相対回動不可能なように組み付けられる。この場合、Ｅリング１０６が中空軸１０１に、外筒１０５がＥリング１０６にそれぞれ相対回動不能に構成されれば良い。相対回動不能にする手段としては、図示しないがそれぞれが回動規制部を持ち噛合っていれば良い。
【００２８】
このような構成では、中空軸１０１に対して軸受け１０２を回動させると、カムが外れる時には、軸受け１０２がバネ１０４のバネ力に抗して軸方向に移動することでカムの噛合いが外れる。その他の動作は、上記第１の実施の形態に係るヒンジ装置と同様である。
【００２９】
［ヒンジユニットの第１の実施の形態］
次に、本発明のヒンジユニットの第１の実施の形態を説明する。
【００３０】
図３の（Ａ）及び（Ｂ）は、電子機器の機能にかかる機能部材の一例としてのカメラユニットの構成を示す図である。ここで、図３の（Ａ）は断面図であり、図３の（Ｂ）はカメラユニットをレンズ面側から見た図である。
【００３１】
このカメラユニットは、撮影する像を結像させるレンズ群１１と、その像を電気データに変換するイメージセンサ１２と、該イメージセンサ１２を実装する基板１３と、上記レンズ群１１及びイメージセンサ１２を所定の位置に保持する、絞り１４ａを持つ鏡枠１４と、からなる。なお、図示はしないが、鏡枠１４は、レンズ保持部、絞り、センサ保持部等各々別に構成されても良い。
【００３２】
上記レンズ群１１が上記鏡枠１４に所定の手段で固定され、また上記イメージセンサ１２が上記基板１３に実装されて、それら鏡枠１４と基板１３とが固着されることで、カメラユニットとなる。なお、ここでは基板１３と鏡枠１４を固定する例を挙げたが、鏡枠１４とイメージセンサ１２を直接固定しても構わない。また、図示しないが基板１３からはこのカメラユニットが装備される機器に接続される配線が出ていることは言うまでも無い。
【００３３】
上記第１又は第２の実施の形態に係るヒンジ装置に、このような機能部材であるカメラユニットを装着することができるようにするためには、図４に示すように、上記ヒンジ装置の中空軸１内に、上記カメラユニットを装着するためのスペーサ７を入れる必要がある場合がある。即ち、このスペーサ７によって限定された中空軸１内の残りの空間に、上記カメラユニットを装着することができる。ここで、上記スペーサ７及びカメラユニットはそれぞれ、上記ヒンジ装置に接着、ビス留め、圧入等の手段で装着される。もちろん、スペーサ７と中空軸１とを一体としても良いが、このようにスペーサ７を装着する構成とれば、他の機能部材の外形形状に応じて、このスペーサ７の形状を変更することにより様々な機能部材に対応できる。
【００３４】
而して、図５に示すように、このようにスペーサ７を入れたヒンジ装置の中空軸１内部に、図３の（Ａ）及び（Ｂ）に示したような機能部材であるカメラユニットを装着することでユニット化することにより、本発明の第１の実施の形態に係るヒンジユニットが構成される。
【００３５】
なお、図５は上記第１の実施の形態に係るヒンジ装置を用いた場合の本発明の第１の実施の形態に係るヒンジユニットであるが、図２に示したような上記第２の実施の形態に係るヒンジ装置を用いた場合の本発明の第１の実施の形態に係るヒンジユニットは、図６に示すような構成となる。
【００３６】
以上のように、本ヒンジユニットの第１の実施の形態によれば、筐体の開閉に係るヒンジ部の軸に中空部を設け、その中空部にヒンジを適用する電子機器の機能に係る機能部材を収納配設することで、機器のスペース効率を上げ、機器の開閉動作での操作感を向上させ、組立性も向上させ、また機器の小型化を実現することができる。
【００３７】
［ヒンジユニットの第２の実施の形態］
次に、本発明のヒンジユニットの第２の実施の形態を説明する。
【００３８】
本実施の形態に係るヒンジユニットは、上記第１又は第２の実施の形態に係るヒンジ装置の中空軸１内に配置されるカメラユニットの内、イメージセンサ１２を上記中空軸１外に配置し、組合わせたものである。
【００３９】
即ち、図７の（Ａ）に示すように、イメージセンサ１２は、多数の受光素子により構成される受光部１２ａのほかに、その受光部１２ａからの電気信号を後段に伝送するための処理部を、該受光部１２ａの周囲に持ち、さらにイメージセンサ１２を実装するための基板１３が有るため、光学設計としては受光部１２ａに像を結像させるため必要とされるレンズ外径よりもイメージセンサ１２と基板１３を合わせたイメージセンサ部のほうが大きくなる。
【００４０】
そこで、イメージセンサ部をヒンジ装置の中空軸１外に配置すれば、ヒンジ装置の中空軸１の径はレンズ外径から決まる寸法にすることができ、カメラユニットを組み込んだヒンジユニットとして外形を小さくできる。
【００４１】
上記第１の実施の形態に係るヒンジユニットを示す図５と、本実施の形態に係るヒンジユニットを示す図７の（Ｂ）とを比べれば、同じカメラユニットを組み込むとした場合、本実施の形態に係るヒンジユニットの方がヒンジ装置外径が細くできることが分かる。
【００４２】
［ヒンジ装置及びヒンジユニットの第３の実施の形態］
次に、本発明のヒンジ装置及びヒンジユニットの第３の実施の形態を説明する。
【００４３】
本実施の形態に係るヒンジユニットは、前述した第１又は第２の実施の形態に係るヒンジ装置の中空軸がカメラユニットの鏡枠を兼ねるように構成したものである。
【００４４】
即ち、図８に示すように、カメラユニットの鏡枠２０は、例えば図１の（Ａ）のヒンジ装置における中空軸１の役割を兼用する。
【００４５】
このように中空軸内に直接レンズ群１１を配置することで、さらにヒンジユニットの小径化が可能となる。
【００４６】
［電子機器の第１の実施の形態］
次に、本発明の電子機器の第１の実施の形態を説明する。
【００４７】
図９は、本発明の第１の実施の形態に係る電子機器として、カメラユニットを装備した折りたたみ式の携帯電話機の外観を示す図である。もちろん、他にもノート型パソコン、携帯型情報端末、デジタルカメラ、等の二つの筐体で相互を開閉可能にヒンジ装置で連結した様々な適用例が考えられる。
【００４８】
この携帯電話機は、ＬＣＤ等の表示部２１ａを持った第一部材としての上側筐体２１と、キーボード等のスイッチ２２ａを持った第二部材としての下側筐体２２とが、回動軸２３で、お互いの筐体を折りたたみ、展開可能なように軸支されている。
【００４９】
図１０は、この軸支部分の構成を示す図である。
即ち、上記下側筐体２２の軸部２２ｂは、その内周に凸部２２ｃが構成されている。また、上記第１乃至第３の実施の形態に係るヒンジ装置もしくはヒンジユニットは、例えば上記外筒５に相当する外筒２５に、上記軸部２２ｂの凸部２２ｃに対応した形状の凹部２５ａが設けられている。従って、上記軸部２２ｂとヒンジ装置又はヒンジユニットとは、お互いが一体的に回動するように構成される。ここで、上記軸部２２ｂは、図示はしないが、ヒンジ装置には機能部材が装着されるため、軸方向でその機能部材が露出するように開口している。
【００５０】
また、上記ヒンジ装置もしくはヒンジユニットの反対側は、特に図示はしないが上側筐体２１の軸部２１ｂに対して、例えば上記軸受け２に相当する軸受け２４が一体的に回動するように同じく凹部２４ａが設けられ、上側筐体２１の軸部２１ｂに設けられたそれに対応した形状の不図示凸部との噛合いで装着されるようになっている。
【００５１】
［電子機器の第２の実施の形態］
次に、本発明の電子機器の第２の実施の形態を説明する。
【００５２】
図１１は、本発明の第２の実施の形態に係る電子機器として、カメラユニットを装備した折りたたみ式の携帯電話機の使用状態の一例を示す図である。
【００５３】
ここで、下側筐体１１２に対して、表示部１１３ａを持った上側筐体１１３が、筐体開閉回動軸１１２ａ及び上側筐体回転軸１１２ｂを持つ第１乃至第３の何れかの実施の形態に係るヒンジユニットにて連結されている。カメラユニット１１１は、前述のとおり第１乃至第３の何れかの実施の形態に係るヒンジ装置の中空軸内に装備されている。
【００５４】
このようにヒンジ装置に装着される機能部材がカメラユニットの場合、図１１に示すように下側筐体１１２を把持して使用する。この場合、カメラの画面は把持部に対して整列するほうが好ましい。従って、特に図示しないが、カメラユニットはヒンジ装置の中空軸１に対して所定の位置で整列して組み合わされる。その方法としては、中空軸１の端面もしくは内面の一部とカメラユニット１１１の鏡枠１４の外形に、お互いが一定方向でしか組合わせられない各々対応した凹凸を設けることで可能になる。前述の電子機器の第１の実施の形態で説明したとおり、中空軸１に対して外筒５は相対回動が不可能であるため、本構成で充分達成可能となる。
【００５５】
ここで、図１２の（Ａ）及び（Ｂ）を参照して、このような電子機器に対するヒンジユニットの組み込み方法を説明する。なお、図１２の（Ａ）は組立図であり、図１２の（Ｂ）は組みあがったヒンジユニットの斜視図である。
【００５６】
即ち、カメラユニット１１１に、例えば上記軸受け２に相当する軸受け部２０２ａが構成された例えば第一部材としてのフレーム２０２を組み付け、例えば上記カム板３に相当するカム板２０３、例えば上記バネ４に相当するバネ２０４、及び例えば上記外筒５に相当する外筒を持つ例えば第二部材としての左下側筐体用フレーム２０５を組み込んだ上で、例えば上記Ｅリング６に相当するＥリング２０６で抜け止め固定される。
【００５７】
また、上記フレーム２０２の反対側にも同じく軸受け部２０２ｂが有り、中空軸２０７をこの軸受け部２０２ｂに通した上で右下側筐体用フレーム２０８がカシメられる。ここでは、右側のヒンジはクリック機構を持たないヒンジである。
【００５８】
また、上記フレーム２０２には、回転カム板２１０に対応したカム部（図示せず）が構成され、回転中空軸２０９をフレーム２０２に回動可能に通して、さらに上記回転カム板２１０、皿バネ２１１、上側筐体フレーム２１２を通して上記回転中空軸２０９と上側筐体フレーム２１２とを相対回動不可能に固定する。
【００５９】
そして、電子機器の上側筐体１１３には上記上側筐体フレーム２１２を取り付け、下側筐体１１２には上記左下側筐体用フレーム２０５及び右下側筐体用フレーム２０８を取り付ける。
【００６０】
以上により、ヒンジ装置はカメラユニット１１１と中空軸２０７の中心軸を筐体開閉回動軸１１２ａとし、電子機器の上側筐体１１３、下側筐体１１２の開閉が可能になる。また、回転中空軸２０９の中心軸を回転軸とし、上側筐体１１３の回転が可能になる。なお、それぞれの中空軸２０７，２０９は各部位からの配線を通すスペースとして利用することができる。
【００６１】
［ヒンジ装置及びヒンジユニットの第４の実施の形態及び電子機器の第３の実施の形態］
本発明の第４の実施の形態に係るヒンジ装置及びヒンジユニットは、機能部材を着脱可能にしたものである。ここで、機能部材としは、カメラの前面に取り付けてレンズの特性を変えるコンバージョンレンズを例にとる。コンバージョンレンズの例としては、カメラに接写機能を付加する接写レンズ、カメラのレンズの画角を変えるワイドコンバージョンレンズ、テレコンバージョンレンズ等がある。
【００６２】
図１３は、本実施の形態に係るヒンジ装置及びヒンジユニットの構成を示す図であり、例えば、ヒンジ装置が電子機器の下側筐体２２の軸部２２ｂ及び上側筐体２１の軸部２１ｂに取り付けられている。
【００６３】
ここで、本実施の形態に係るヒンジ装置の中空軸３０は、上記第１又は第２の実施の形態に係るヒンジ装置の中空軸１，１０１の上記軸受け２，１０２側の開口部が閉じたような形態となている。これは、この中空軸３０内に収納される、鏡枠３１とレンズ３２で構成されたコンバージョンレンズが、開口部から電子機器の軸部内又は機器内部に脱落しないようにするためである。
【００６４】
そして、本実施の形態に係るヒンジ装置及びヒンジユニットにおいては、更に、蓋３４が、電子機器の下側筐体２２の軸部２２ｂに対し着脱可能に装着されるようになっている。この蓋３４は、ヒンジ装置の中空軸３０内に装備されたコンバージョンレンズが不用意に脱落しないようにするもので、図示しないが着脱可能ではあるが、簡単に脱落しないよう工夫されている。
【００６５】
このような構成のヒンジユニットを有する本発明の第３の実施の形態に係る電子機器においては、図示しないが、機器に装備されたカメラは、図９に示したような携帯電話機の場合、上側筐体２１の表示部２１ａの反対面にレンズ表面が露出するように設けても良い。そして、ヒンジ装置の中空軸３０内に装備されたコンバージョンレンズを、使用者が必要により取り出して、そのカメラに装着することで、撮影の幅を広げることができる。なお、コンバージョンレンズのカメラへの装着は、図示しないがネジ等、様々な手段が取れることは言うまでもない。
【００６６】
さらに、図１１に示した携帯電話機のようにヒンジ装置内にカメラユニットを配置した場合には、筐体開閉回動軸１１２ａの片側のヒンジ装置にカメラユニットを固定的に配置し、さらにその反対側のヒンジ装置に本実施の形態のようなコンバージョンレンズを着脱可能に配置することができる。
【００６７】
［ヒンジ装置及びヒンジユニットの第５の実施の形態及び電子機器の第４の実施の形態］
本実施の形態は、複数の中空部を有するヒンジ装置及びヒンジユニット、及びそれを用いた電子機器である。
【００６８】
即ち、図１４に示すように、上記第１乃至第４の何れかの実施の形態、例えば上記第１の実施の形態に係るヒンジ装置を２個用い、それぞれの軸受けとして、一体的な軸受け４１を使用することで、一体的な１個のヒンジ装置として構成したものである。
【００６９】
また、ここでは前述のようにヒンジ装置の外周部に電子機器と噛み合わさる凹部（もしくは凸部）を設けるのではなく、上記軸受け４１の一部を延ばし、取り付け穴４１ａを設けて、それを介して電子機器の筐体に固定する手段が取れる。なお、この固定手段は、前述の外筒５でも同様のことが可能である。
【００７０】
このようなヒンジ装置及びヒンジユニットによれば、例えば図９中左側となる中空部内に上記のようなカメラユニットを固定的に配置し、さらに図９中右側となる中空部内に図１３に示したようなコンバージョンレンズを着脱可能に配置した電子機器を構成することができる。
【００７１】
このようにヒンジ装置に中空部を複数設け、それぞれ機能部材を固定的、或いは着脱可能に装備し、電子機器を小型のままで付加価値を上げていくことが可能となる。また、ヒンジ装置は一体的に構成されているためユニット化が進め易くなり、電子機器の組立性を向上させることができる。
【００７２】
［ヒンジ装置及びヒンジユニットの第６の実施の形態及び電子機器の第５の実施の形態］
本実施の形態は、ヒンジ装置の一つの中空軸内に固定的に機能部材を装備させ、さらに着脱可能な不可機能部材を付加させるようにしたものである。
【００７３】
図１５の（Ａ）は、本実施の形態に係るヒンジユニット（ヒンジ装置）の構成を示す図である。
【００７４】
即ち、このヒンジユニットは、第１乃至第３の何れかの実施の形態、例えば第１の実施の形態と同様の構成のヒンジ装置及びヒンジユニットではあるが、その中空軸５１内に鏡枠５４、レンズ５５、及びイメージセンサ部で構成されるカメラユニットを固定的に取り付け、さらに、別の鏡枠５２及び別のレンズ５３で構成されるコンバージョンレンズユニットを着脱可能に装着する。ここで、コンバージョンレンズユニットは、特に図示しないが、中空軸５１内壁のネジ部とそれに対応した鏡枠５２に設けたネジ部とにより着脱可能に取り付けられる。また、鏡枠５４と鏡枠５２が各々ネジで噛合うようにしても良い。
【００７５】
この例では、コンバージョンレンズをワイドコンバージョンレンズとして構成する。このような構成によれば、図１５の（Ａ）のワイドレンズ時の主光線５６では、ワイド画角５７を持つレンズとして構成され、一部略してあるが図１５の（Ｂ）に示すようにワイドコンバージョンレンズを外した状態では、レンズの画角５９は上記ワイド画角５７よりも狭くなる。この場合でも、主光線５８は中空軸５１にけられること無く構成されねばならない。この時、中空軸５１は、不要光の入射を防ぐレンズフードとして作用することができる。
【００７６】
また、図示はしないが、このような本実施の形態に係るヒンジ装置を用いることで、第５の実施の形態に係る電子機器を構成できることは言うまでもない。
【００７７】
［ヒンジ装置及びヒンジユニットの第７の実施の形態及び電子機器の第６の実施の形態］
前述したようなカメラユニットでは、その精度上、当該カメラユニット組立時にピント調整が要求される場合がある。そこで、本実施の形態は、そのようなピント調整を可能にするものである。
【００７８】
図１６の（Ａ）及び（Ｂ）を参照して、本実施の形態に係るヒンジ装置及びヒンジユニットを説明する。ここでは、ヒンジ装置の中空軸が鏡枠を兼ねる場合で説明する。
【００７９】
図１６の（Ａ）に示すとおり、本実施の形態においては、カメラユニットの鏡枠はレンズ枠６１とセンサ枠６２とに分割されている。そして、各々はそれぞれ、レンズ及びイメージセンサ部が組み付けられてから各々のネジ部６１ａ，６２ａを介して結合される。この時、所定の距離にある被写体に対してイメージセンサ１２にピントの合った像を結ぶように上記ネジ部６１ａ，６２ａでピント調整が行われる。
【００８０】
このピント調整が終わった状態を図１６の（Ｂ）に示す。図１の（Ｂ）を使って説明したとおり、センサ枠６２は回転規制部６２ｂを持っている。図１６の（Ａ）におけるカム板６３がこの断面に対応した形状に穴が開いていれば、そのカム板６３は、イメージセンサ１２を保持しているセンサ枠６２に対して軸方向の移動可能で且つ回動不可能な状態で組み付けられる。
【００８１】
ここで、レンズとイメージセンサ１２のピント調整は組立工程上、クリック機構を組み付けるより先に実施されている。また、前述のとおりヒンジ装置として外径をより細くするために、クリック機構は中空軸であるレンズ枠６１の周囲に配置される。従って、カム板６３の穴形状はレンズ枠６１の外形に対応した形状でもある。しかし、ピント調整後にレンズ枠６１の回転規制部６１ｂとセンサ枠６２の回転規制部６２ｂとは、外周方向で両方が同じ位置に位置するとは限らない。この場合でも、カム板６３を組み付け可能とするために、レンズ枠６１の端面６１ｃとセンサ枠６２の端面６２ｃとの間隔は、カム板６３の厚さより広くなるように構成される。これによりカム板６３はレンズ枠６１に通し、前記間隔の範囲で回転させ、センサ枠６２に組み付けることができ、ピント調整後の各々の枠の位置がどこになろうとも組み付け可能となる。
【００８２】
また、図示はしないが、このような本実施の形態に係るヒンジ装置を用いることで、第６の実施の形態に係る電子機器を構成できることは勿論である。
【００８３】
以上実施の形態に基づいて本発明を説明したように、ヒンジ装置を中空軸として中空軸外側にヒンジに関わるクリック機構を設け、中空軸内に機能部材を配することができるようにすると、例えばカメラユニットの場合でも軸方向にカメラユニットとヒンジに関わるクリック機構を並べて設けることなく、機器の軸方向の寸法を有効に使用して機器の価値を高めることができる。また、機能部材がカメラユニットの場合、前述のようなコンバージョンレンズを装備したり、図示していないが光軸方向の寸法が大きくなる多枚数レンズで構成される高画質レンズや、ズームレンズ、ＡＦ機能を持つレンズ等で非常に有効な手段である。
【００８４】
以上実施の形態に基づいて本発明を説明したが、本発明は上述した実施の形態に限定されるものではなく、本発明の要旨の範囲内で種々の変形や応用が可能なことは勿論である。
【００８５】
例えば、上記実施の形態においてはヒンジ装置に配設する機能部材をカメラユニット及びレンズとして説明してきたが、その他の機能部材を配設することももちろん可能である。その機能部材としては、例えば、マイク、アンテナ、スピーカ、電池、コネクタ等が考えられる。そして、その機能部材は、その電子機器に付加される機能の一部又は全部を構成する部材であっても良い。即ち、上述の如く、例えばカメラ機能を付加するためのカメラユニット全体でも良く、または、カメラユニットの一部であるレンズでも良い。
【００８６】
（付記）
前記の具体的実施の形態から、以下のような構成の発明を抽出することができる。
【００８７】
（１）  第一部材と第二部材とを回動自在に連結する電子機器のためのヒンジ装置であって、
上記第一部材及び第二部材の一方に軸受け部を設け、他方にこの軸受け部に回動自在に係合する回動軸部を設け、
この回動軸部に、当該ヒンジ装置が適用される電子機器の機能に係る機能部材を配設するための中空部を設けた、
ことを特徴とするヒンジ装置。
【００８８】
この構成は、図１の（Ａ）及び（Ｂ）、図２、図５、図６、図７の（Ｂ）、図８、図１２の（Ａ）及び（Ｂ）、図１３乃至図１５の（Ａ）、図１６の（Ａ）が相当する。
即ち、このような構成とすることで、電子機器に機能を付加する機能部材をヒンジ装置内に収納できる。
なお、上記軸受け部と上記回動軸部は、それぞれ上記第一部材及び上記第二部材の双方に設けても良い。
要は、上記軸受け部及び回動軸部は、上記第一部材及び第二部材のうちの少なくとも一方に設けてあれば良い。
【００８９】
（２）  上記回動軸部の中空部に配設される機能部材が、カメラ機能を果たすためのレンズと、入光部から入光する光を上記レンズを介して検知する光センサと、を少なくとも含むカメラであることを特徴とする（１）に記載のヒンジ装置。
【００９０】
この構成は、図５、図６、図７の（Ｂ）、図８、図１２の（Ａ）及び（Ｂ）、図１５の（Ａ）、図１６の（Ａ）が相当する。
即ち、このような構成とすることで、電子機器に付加するカメラ機能をヒンジ装置内に収納できる。
【００９１】
（３）  上記回動軸部の中空部に配設される機能部材が、カメラ機能を果たすためのレンズであるとき、この回動軸部の一端部には入光部が設けられ、他端部には当該入光部から入光する光を上記レンズを介して検知する光センサを配設するための光センサ配設部が設けられていることを特徴とする（１）に記載のヒンジ装置。
【００９２】
この構成は、図７の（Ｂ）、図８、図１５の（Ａ）、図１６の（Ａ）が相当する。
即ち、このような構成とすることで、電子機器に付加するカメラ機能のうち、小径部であるレンズ部に合わせてヒンジ装置を構成でき、ヒンジ装置の小径化が可能となる。
【００９３】
（４）  上記カメラは、上記レンズと、上記光センサと、上記レンズ及び上記光センサを保持する鏡枠部とから少なくとも構成され、
上記回動軸部が上記鏡枠部を兼ねるように構成された、
ことを特徴とする（２）又は（３）に記載のヒンジ装置。
【００９４】
この構成は、図８、図１６の（Ａ）が相当する。
即ち、このような構成とすることで、ヒンジ装置の中空軸を、電子機器に付加するカメラ機能の鏡枠として使用できるため、ヒンジ装置の小径化、部品点数の削減により低価格化が可能となる。
【００９５】
（５）  上記鏡枠部は、上記レンズを保持するレンズ枠部と上記光センサを保持するセンサ枠部とからなり、
上記レンズ枠部と上記センサ枠部とは、上記レンズと上記光センサとの間隔を調整可能に接合されるように構成されている、
ことを特徴とする（４）に記載のヒンジ装置。
【００９６】
この構成は、図１６の（Ａ）が相当する。
即ち、このような構成とすることで、カメラの組立時にピント調整を行うことができる。
【００９７】
（６）  上記中空部は、上記機能部材を固定的に配設するように構成されたことを特徴とする（１）に記載のヒンジ装置。
【００９８】
この構成は、図１の（Ａ）及び（Ｂ）、図２、図４、図５、図６、図７の（Ｂ）、図１２の（Ａ）及び（Ｂ）、図１５の（Ａ）、図１６の（Ａ）が相当する。
即ち、このような構成とすることで、電子機器に機能を付加する機能部材をヒンジ装置内に固定的に収納できるため、機能部材を持ったヒンジ装置としてユニット化が可能となり、機能部材を含めた信頼性の向上ができる。
【００９９】
（７）  上記中空部は、上記固定的に配置された機能部材に付加機能を与える付加機能部材を着脱自在に更に配設するように構成されたことを特徴とする（６）に記載のヒンジ装置。
【０１００】
この構成は、図１５の（Ａ）が相当する。
即ち、このような構成とすることで、例えばカメラとコンバージョンレンズのように、固定配置される機能部材と着脱自在な付加機能部材とを合わせて収納でき、機能部材単体の場合と機能部材及び付加機能部材を合わせた場合とで、異なった機能を持たせることが可能となる。
【０１０１】
（８）  上記中空部は、上記機能部材を着脱自在に配設するように構成されたことを特徴とする（１）に記載のヒンジ装置。
【０１０２】
この構成は、図１３が相当する。
即ち、このような構成とすることで、電子機器に機能を付加する機能部材のうち、電子機器に着脱して機能向上を図るアタッチメントユニットの装着が可能になる。
【０１０３】
（９）  上記中空部は、複数の中空部からなることを特徴とする（１）に記載のヒンジ装置。
【０１０４】
この構成は、図１２の（Ａ）及び（Ｂ）、図１４が相当する。
即ち、このような構成とすることで、電子機器に機能を付加する機能部材を複数個、固定的又は着脱自在に配設できるため、ヒンジ装置の多機能化が可能となる。
【０１０５】
（１０）  上記第一部材に設ける第一連結部に上記軸受け部を設け、
上記第二部材に設ける第二連結部に上記軸受け部に回動自在に係合する上記回動軸部を設け、
この回動軸部にカム部を設けると共に、相対回動することで上記カム部に凹凸係合するカム係合部を上記軸受け部に設け、
少なくとも上記カム部と上記カム係合部との一方は他方に対して軸方向に弾性体に抗して離反移動自在に設けて、上記回動軸部が上記軸受け部に対して相対回動することで上記カム部が上記カム係合部に対して相対回動して凹凸係合し、この凹凸係合が離反する際には上記弾性体に抗して上記カム部が上記カム係合部に対して相対的に離反するように構成し、上記カム部と上記カム係合部とが凹凸係合する回動位置ではこのカム係合力と上記弾性体による押圧付勢により係合保持されるように構成した、
ことを特徴とする（１）乃至（９）の何れかに記載のヒンジ装置。
【０１０６】
この構成は、図２、図６が相当する。
即ち、このような構成とすることで、電子機器に機能を付加する機能部材を持たせられるヒンジ装置に、回動に伴うクリック感、回動時のフリクションを与えることができる。
【０１０７】
（１１）  上記第一部材に設ける第一連結部に上記軸受け部を設け、
上記第二部材に設ける第二連結部に上記軸受け部に回動自在に係合する上記回動軸部を設け、
この回動軸部に、該回動軸部を共に回動するように回り止め状態に被嵌し、且つ該回動軸に沿って弾性体に抗して移動自在にカム部を設け、
相対回動することで上記カム部に凹凸係合するカム係合部を上記軸受け部に設け、
上記回動軸部が上記軸受け部に対して相対回動することで上記カム部が上記カム係合部に対して相対回動して凹凸係合し、この凹凸係合が離脱する際には上記弾性体に抗して上記カム部が上記カム係合部に対して相対的に離反するように構成し、上記カム部と上記カム係合部とが凹凸係合する回動位置ではこのカム係合力と上記弾性体による押圧付勢により係合保持されるように構成した、
ことを特徴とする（１）乃至（９）の何れかに記載のヒンジ装置。
【０１０８】
この構成は、図１の（Ａ）及び（Ｂ）、図５、図７の（Ｂ）、図８、図１２の（Ａ）及び（Ｂ）、図１３乃至図１５の（Ａ）、図１６の（Ａ）が相当する。
即ち、このような構成とすることで、電子機器に機能を付加する機能部材を持たせられるヒンジ装置に、回動に伴うクリック感、回動時のフリクションを与えることができ、クリック感の発生付近でのヒンジ軸と軸受けの軸方向の相対移動が発生しない。
【０１０９】
（１２）  第一部材と第二部材とを回動自在に連結する電子機器のためのヒンジユニットであって、
上記第一部材及び第二部材の一方に軸受け部を設け、他方にこの軸受け部に回動自在に係合する回動軸部を設け、
この回動軸部に中空部を設けて、
この中空部に、当該ヒンジユニットが適用される電子機器の機能に係る機能部材を配設した、
ことを特徴とするヒンジユニット。
【０１１０】
この構成は、図５、図６、図７の（Ｂ）、図８、図１２の（Ａ）及び（Ｂ）、図１３乃至図１５の（Ａ）、図１６の（Ａ）が相当する。
即ち、このような構成とすることで、電子機器に機能を付加する機能部材を持ったヒンジユニットが構成でき、機器の小型化が可能となる。
なお、上記軸受け部と上記回動軸部は、それぞれ上記第一部材及び上記第二部材の双方に設けても良い。
要は、上記軸受け部及び回動軸部は、上記第一部材及び第二部材のうちの少なくとも一方に設けてあれば良い。
【０１１１】
（１３）  上記回動軸部の中空部に配設された機能部材が、カメラ機能を果たすためのレンズと、入光部から入光する光を上記レンズを介して検知する光センサと、を少なくとも含むカメラであることを特徴とする（１２）に記載のヒンジユニット。
【０１１２】
この構成は、図５、図６、図７の（Ｂ）、図８、図１２の（Ａ）及び（Ｂ）、図１５の（Ａ）、図１６の（Ａ）が相当する。
即ち、このような構成とすることで、電子機器に付加するカメラ機能を持ったヒンジユニットが構成でき、機器の小型化が可能となる。
【０１１３】
（１４）  上記回動軸部の中空部に配設された機能部材が、カメラ機能を果たすためのレンズであるとき、この回動軸部の一端部には入光部を設け、他端部には当該入光部から入光する光を上記レンズを介して検知する光センサを配設するための光センサ配設部を設けたことを特徴とする（１２）に記載のヒンジユニット。
【０１１４】
この構成は、図７の（Ｂ）、図８、図１５の（Ａ）、図１６の（Ａ）が相当する。
即ち、このような構成とすることで、電子機器に付加するカメラ機能の内、小径部であるレンズ部に合わせてヒンジ装置を構成できるため、ヒンジユニットの小径化が可能となり、スペース効率良くカメラ機能を配置できて、機器の小型化が可能となる。
【０１１５】
（１５）  上記カメラは、上記レンズと、上記光センサと、上記レンズ及び上記光センサを保持する鏡枠部とから少なくとも構成され、
上記回動軸部が上記鏡枠部を兼ねる、
ことを特徴とする（１３）又は（１４）に記載のヒンジユニット。
【０１１６】
この構成は、図８、図１６の（Ａ）が相当する。
即ち、このような構成とすることで、ヒンジ装置の中空軸を、電子機器に付加するカメラ機能の鏡枠として使用できるため、カメラ機能を持ったヒンジユニットの小径化、部品点数の削減により低価格化が可能となる。
【０１１７】
（１６）  上記鏡枠部は、上記レンズを保持するレンズ枠部と上記光センサを保持するセンサ枠部とからなり、
上記レンズ枠部と上記センサ枠部とは、上記レンズと上記光センサとの間隔を調整可能に接合されるように構成されている、
ことを特徴とする（１５）に記載のヒンジユニット。
【０１１８】
この構成は、、図１６の（Ａ）が相当する。
即ち、このような構成とすることで、カメラの組立時にピント調整を行うことができる。
【０１１９】
（１７）  上記中空部は、上記機能部材を固定的に配設したことを特徴とする（１２）に記載のヒンジユニット。
【０１２０】
この構成は、図５、図６、図７の（Ｂ）、図１２の（Ａ）及び（Ｂ）、図１５の（Ａ）、図１６の（Ａ）が相当する。
即ち、このような構成とすることで、電子機器に機能を付加する機能部材をヒンジ装置内に固定的に収納できるため、機能部材を持ったヒンジユニットが可能となり、機能部材を含めた信頼性の向上ができる。
【０１２１】
（１８）  上記中空部は、上記固定的に配置した機能部材に付加機能を与える付加機能部材を着脱自在に更に配設したことを特徴とする（１７）に記載のヒンジユニット。
【０１２２】
この構成は、図１５の（Ａ）が相当する。
即ち、このような構成とすることで、例えばカメラとコンバージョンレンズのように、固定配置される機能部材と着脱自在な付加機能部材とを合わせて収納でき、機能部材単体の場合と機能部材及び付加機能部材を合わせた場合とで、異なった機能を持たせることが可能となる。
【０１２３】
（１９）  上記中空部は、上記機能部材を着脱自在に配設したことを特徴とする（１２）に記載のヒンジユニット。
【０１２４】
この構成は、図１３が相当する。
即ち、このような構成とすることで、電子機器に機能を付加する機能部材のうち、電子機器に着脱して機能向上を図るアタッチメントユニットの装着が可能なヒンジユニットができる。
【０１２５】
（２０）  上記中空部は、複数の中空部からなることを特徴とする（１２）に記載のヒンジユニット。
【０１２６】
この構成は、図１２の（Ａ）及び（Ｂ）、図１４が相当する。
即ち、このような構成とすることで、電子機器に機能を付加する機能部材を複数個、固定的又は着脱自在に配設できるため、ヒンジユニットの多機能化が可能となる。
【０１２７】
（２１）  上記第一部材に設ける第一連結部に上記軸受け部を設け、
上記第二部材に設ける第二連結部に上記軸受け部に回動自在に係合する上記回動軸部を設け、
この回動軸部にカム部を設けると共に、相対回動することで上記カム部に凹凸係合するカム係合部を上記軸受け部に設け、
少なくとも上記カム部と上記カム係合部との一方は他方に対して軸方向に弾性体に抗して離反移動自在に設けて、上記回動軸部が上記軸受け部に対して相対回動することで上記カム部が上記カム係合部に対して相対回動して凹凸係合し、この凹凸係合が離反する際には上記弾性体に抗して上記カム部が上記カム係合部に対して相対的に離反するように構成し、上記カム部と上記カム係合部とが凹凸係合する回動位置ではこのカム係合力と上記弾性体による押圧付勢により係合保持されるように構成した、
ことを特徴とする（１２）乃至（２０）の何れかに記載のヒンジユニット。
【０１２８】
この構成は、図６が相当する。
即ち、このような構成とすることで、電子機器に機能を付加する機能部材を備えたヒンジユニットに、回動に伴うクリック感、回動時のフリクションを与えることができる。
【０１２９】
（２２）  上記第一部材に設ける第一連結部に上記軸受け部を設け、
上記第二部材に設ける第二連結部に上記軸受け部に回動自在に係合する上記回動軸部を設け、
この回動軸部に、該回動軸部を共に回動するように回り止め状態に被嵌し、且つ該回動軸に沿って弾性体に抗して移動自在にカム部を設け、
相対回動することで上記カム部に凹凸係合するカム係合部を上記軸受け部に設け、
上記回動軸部が上記軸受け部に対して相対回動することで上記カム部が上記カム係合部に対して相対回動して凹凸係合し、この凹凸係合が離脱する際には上記弾性体に抗して上記カム部が上記カム係合部に対して相対的に離反するように構成し、上記カム部と上記カム係合部とが凹凸係合する回動位置ではこのカム係合力と上記弾性体による押圧付勢により係合保持されるように構成した、
ことを特徴とする（１２）乃至（２０）の何れかに記載のヒンジユニット。
【０１３０】
この構成は、図５、図７の（Ｂ）、図８、図１２の（Ａ）及び（Ｂ）、図１３乃至図１５の（Ａ）、図１６の（Ａ）が相当する。
即ち、このような構成とすることで、電子機器に機能を付加する機能部材を備えたヒンジユニットに、回動に伴うクリック感、回動時のフリクションを与えることができ、クリック感の発生付近でのヒンジ軸と軸受けの軸方向の相対移動が発生しない。
【０１３１】
（２３）  操作部を設けた本体部と、ディスプレイ部を設けた重合部とを、上記操作部を操作しない時にはこの操作部を覆うように重合配置し、この重合した状態から上記重合部を相対的に回動して操作部を露出させることができるように上記本体部と上記重合部とを回動自在に連結するヒンジ装置を有する電子機器であって、
上記ヒンジ装置は、上記本体部及び上記重合部の一方に設けられた軸受け部と、他方に設けられたこの軸受け部に回動自在に係合する回動軸部とから少なくとも構成され、
この回動軸部に中空部を設けて、この中空部に当該電子機器の機能に係る機能部材を配設した、
ことを特徴とする電子機器。
【０１３２】
この構成は、図５、図６、図７の（Ｂ）、図８、図９、図１１、図１２の（Ａ）及び（Ｂ）、図１５の（Ａ）、図１６の（Ａ）が相当する。
即ち、このような構成とすることで、本体部とディスプレイ部がヒンジで連結された電子機器において、機器の開閉に伴う回動軸部に電子機器の機能を付加する機能部材を配置することができ、電子機器の多機能化、機能付加した状態での小型化が可能になる。
なお、上記軸受け部と上記回動軸部は、それぞれ上記本体部及び上記重合部の双方に設けても良い。
要は、上記軸受け部及び回動軸部は、上記本体部及び重合部のうちの少なくとも一方に設けてあれば良い。
【０１３３】
（２４）  上記回動軸部の中空部に配設された機能部材が、カメラ機能を果たすためのレンズと、入光部から入光する光を上記レンズを介して検知する光センサと、を少なくとも含むカメラであることを特徴とする（２３）に記載の電子機器。
【０１３４】
この構成は、図５、図６、図７の（Ｂ）、図８、図９、図１１、図１２の（Ａ）及び（Ｂ）、図１５の（Ａ）、図１６の（Ａ）が相当する。
即ち、このような構成とすることで、本体部とディスプレイ部がヒンジ装置で連結された電子機器において、機器の開閉に伴う回動軸部に電子機器の機能を付加する機能部材としてカメラを配置することができ、カメラ付きながら機器の小型化が可能になる。
【０１３５】
（２５）  上記回動軸部の中空部に配設された機能部材が、カメラ機能を果たすためのレンズであるとき、この回動軸部の一端部には入光部を設け、他端部には当該入光部から入光する光を上記レンズを介して検知する光センサを配設するための光センサ配設部を設けたことを特徴とする（２３）に記載の電子機器。
【０１３６】
この構成は、図７の（Ｂ）、図８、図９、図１１、図１５の（Ａ）、図１６の（Ａ）が相当する。
即ち、このような構成とすることで、本体部とディスプレイ部がヒンジ装置で連結された電子機器において、機器の開閉に伴う回動軸部に電子機器の機能を付加する機能部材としてカメラを配置することができ、さらカメラを機器内に効率よく配置することができ、電子機器の小型化が可能になる。
【０１３７】
（２６）  上記カメラは、上記レンズと、上記光センサと、上記レンズ及び上記光センサを保持する鏡枠部とから少なくとも構成され、
上記回動軸部が上記鏡枠部を兼ねる、
ことを特徴とする（２４）又は（２５）に記載の電子機器。
【０１３８】
この構成は、図８、図９、図１１、図１６の（Ａ）が相当する。
即ち、このような構成とすることで、本体部とディスプレイ部がヒンジ装置で連結された電子機器において、機器の開閉に伴う回動軸部に電子機器の機能を付加する機能部材としてカメラを配置することができ、ヒンジ外形を小径化でき、よって電子機器の小型化が可能になる。
【０１３９】
（２７）  上記鏡枠部は、上記レンズを保持するレンズ枠部と上記光センサを保持するセンサ枠部とからなり、
上記レンズ枠部と上記センサ枠部とは、上記レンズと上記光センサとの間隔を調整可能に接合されるように構成されている、
ことを特徴とする（２６）に記載の電子機器。
【０１４０】
この構成は、図９、図１１、図１６の（Ａ）が相当する。
即ち、このような構成とすることで、カメラの組立時にピント調整を行うことができる。
【０１４１】
（２８）  上記中空部は、上記機能部材を固定的に配設したことを特徴とする（２３）に記載の電子機器。
【０１４２】
この構成は、図５、図６、図７の（Ｂ）、図９、図１１、図１２の（Ａ）及び（Ｂ）、図１６の（Ａ）が相当する。
即ち、このような構成とすることで、本体部とディスプレイ部がヒンジ装置で連結された電子機器において、機器の開閉に伴う回動軸部に電子機器の機能を付加する機能部材を固定的に配置することができ、機器の信頼性を向上できる。
【０１４３】
（２９）  上記中空部は、上記固定的に配置した機能部材に付加機能を与える付加機能部材を着脱自在に更に配設したたことを特徴とする（２８）に記載の電子機器。
【０１４４】
この構成は、図９、図１１、図１５の（Ａ）が相当する。
即ち、このような構成とすることで、例えばカメラとコンバージョンレンズのように、固定配置される機能部材と着脱自在な付加機能部材とを合わせて収納でき、機能部材単体の場合と機能部材及び付加機能部材を合わせた場合とで、異なった機能を持たせることが可能となる。
【０１４５】
（３０）  上記中空部は、上記機能部材を着脱自在に配設したことを特徴とする（２３）に記載の電子機器。
【０１４６】
この構成は、図９、図１１、図１３が相当する。
即ち、このような構成とすることで、本体部とディスプレイ部がヒンジ装置で連結された電子機器において、機器の開閉に伴う回動軸部に電子機器の機能を付加する機能部材を着脱可能に配置することができ、機器に装備する機能部材の種類が増やせる。
【０１４７】
（３１）  上記中空部は、複数の中空部からなることを特徴とする（２３）に記載の電子機器。
【０１４８】
この構成は、図９、図１１、図１２の（Ａ）及び（Ｂ）、図１４が相当する。
即ち、このような構成とすることで、本体部とディスプレイ部がヒンジ装置で連結された電子機器において、機器の開閉に伴う回動軸部に電子機器の機能を付加する機能部材を固定的な機能部材と、着脱可能な機能部材とを配置することができ、機器をさらに多機能化できる。
【０１４９】
【発明の効果】
以上詳述したように、本発明によれば、電子機器の機能に係る機能部材、即ち、その電子機器に付加される機能の一部又は全部を構成する部材を収納できるヒンジ装置及びヒンジユニット、並びに、そのようなヒンジ装置を有する電子機器を提供することができる。
【図面の簡単な説明】
【図１】本発明の第１の実施の形態に係るヒンジ装置の構成を示す図である。
【図２】本発明の第２の実施の形態に係るヒンジ装置の構成を示す図である。
【図３】電子機器の機能にかかる機能部材の一例としてのカメラユニットの構成を示す図である。
【図４】スペーサを説明するための図である。
【図５】第１の実施の形態に係るヒンジ装置を用いた場合の本発明の第１の実施の形態に係るヒンジユニットの構成を示す図である。
【図６】第２の実施の形態に係るヒンジ装置を用いた場合の本発明の第１の実施の形態に係るヒンジユニットの構成を示す図である。
【図７】（Ａ）はイメージセンサの受光部の大きさを説明するための図であり、（Ｂ）は本発明の第２の実施の形態に係るヒンジユニットの構成を示す図である。
【図８】本発明の第３の実施の形態に係るヒンジ装置及びヒンジユニットの構成を示す図である。
【図９】本発明の第１の実施の形態に係る電子機器の外観を示す図である。
【図１０】軸支部分の構成を示す図である。
【図１１】本発明の第２の実施の形態に係る電子機器の使用状態を示す図である。
【図１２】ヒンジユニットの組み込み方法を説明するための図である。
【図１３】本発明の第４の実施の形態に係るヒンジ装置及びヒンジユニットの構成を示す図である。
【図１４】本発明の第５の実施の形態に係るヒンジ装置の構成を示す図である。
【図１５】（Ａ）は本発明の第６の実施の形態に係るヒンジ装置及びヒンジユニットの構成を示す図であり、（Ｂ）はコンバージョンレンズを外した場合の画角を説明するための図である。
【図１６】本発明の第７の実施の形態に係るヒンジ装置及びヒンジユニットの構成を示す図である。
【符号の説明】
１，３０，５１，１０１，２０７…中空軸、  ２，２４，４１，１０２…軸受け、  ３，６３，２０３…カム板、  ３ａ，１０１ａ，１０２ａ…カム部、  ３ｃ，６１ｂ，６２ｂ…回転規制部、  ４，１０４，２０４…バネ、  ５，２５，１０５…外筒、  ６，１０６，２０６…Ｅリング、  ７…スペーサ、  １１…レンズ群、  １２…イメージセンサ、  １２ａ…受光部、  １３…基板、  １４，２０，３１，５２，５４…鏡枠、  １４ａ…絞り、  ２１，１１３…上側筐体、  ２１ａ，１１３ａ…表示部、  ２１ｂ，２２ｂ…軸部、  ２２，１１２…下側筐体、  ２２ａ…スイッチ、  ２２ｃ…凸部、  ２３，１１２ａ…回動軸、  ２４ａ，２５ａ…凹部、  ３２，５３，５５…レンズ、  ３４…蓋、  ４１ａ…取り付け穴、  ５６，５８…主光線、  ５７…ワイド画角、  ５９…画角、  ６１…レンズ枠、  ６１ａ，６２ａ…ネジ部、  ６１ｃ，６２ｃ…端面、  ６２…センサ枠、１１１…カメラユニット、  ２０２…フレーム、  ２０２ａ，２０２ｂ…軸受け部、  ２０５…左下側筐体用フレーム、  ２０８…右下側筐体用フレーム、  ２０９…回転中空軸、  ２１０…回転カム板、  ２１１…皿バネ、  ２１２…上側筐体フレーム。
【図１】
2004214396.tif 000003
【図２】
2004214396.tif 000004
【図３】
2004214396.tif 000005
【図４】
2004214396.tif 000006
【図５】
2004214396.tif 000007
【図６】
2004214396.tif 000008
【図７】
2004214396.tif 000009
【図８】
2004214396.tif 000010
【図９】
2004214396.tif 000011
【図１０】
2004214396.tif 000012
【図１１】
2004214396.tif 000013
【図１２】
2004214396.tif 000014
【図１３】
2004214396.tif 000015
【図１４】
2004214396.tif 000016
【図１５】
2004214396.tif 000017
【図１６】
2004214396.tif 000018